(57)【要約】      （修正有）【課題】廃ガラス瓶、廃ガラス板、廃ガラス容器などにより得た廃ガラス材を主材として、連続気泡の多孔質ブロックを成形し、これを加工して建造物への固定を容易にすると共に、植物を栽培する建造物の壁面緑化装置を提供する。【解決手段】廃ガラス材の粉砕物（例えば大きさ１ｍｍ〜３ｍｍ）に、その３％の発泡剤（例えばアルミナ粉）を入れて均一に混合し、この混合物を加熱炉に入れて８００℃で２０分間加熱すれば、発泡溶融物となるので、これをステンレス製の容器１に注入した後、冷却固化すれば容器入り発泡ブロック２ができる。ついで前記発泡ブロック２に所定間隔で植物の植生用孔３を設ける。前記ブロック２を建造物に設定するには、前記容器１の取付け孔４を利用し、ボルト５を壁面６にねじ込み固着する。通常は壁面６の適所へ穴７を設け、穴７へねじ管８を挿入、固定し、前記ねじ管８へボルト５を螺合して前記容器１を固定する。【選択図】図１
0003160304.tif 000002
【実用新案登録請求の範囲】
【請求項１】
廃ガラス材の粉砕物に発泡材を混合し、これを加熱溶融後成形固化した連続気泡の多孔質ガラスブロックに、植生孔を設け、前記多孔質ガラスブロックを容器に収容し、植生用ブロックとしたことを特徴とする建造物の壁面緑化装置。
【請求項２】
廃ガラス材の粉砕物に発泡材を混合し、これを加熱溶融後成形固化した連続気泡の多孔質ガラスブロックに、植生孔を設け、前記多孔質ブロックの側壁及び底壁に防水層を設けて植生用ブロックとしたことを特徴とする建造物の壁面緑化装置。
【請求項３】
廃ガラス材の粉砕物に発泡材を混合し、これを加熱溶融後成形固化して植生孔を連続気泡の多孔質ガラスブロックと、前記多孔質ガラスブロックを建造物の壁面へ固定するための器具とを組み合わせたことを特徴とする建造物の壁面緑化装置。
【請求項４】
廃ガラス材の粉砕物に発泡材１％〜６％を混合し、これを７００℃〜９００℃に加熱溶融後成形固化した連続気泡の多孔質ガラスブロックに、植生孔を設け、前記多孔質ブロックの側壁及び底壁に防水層を設け、又は前記多孔質ブロックを容器に入れて植生用ブロックとしたことを特徴とする建造物の壁面緑化装置。
【請求項５】
請求項１又は２記載の植生用ブロックと、該植生用ブロックを建造物の壁面へ固定するための器具とを組み合わせたことを特徴とする建造物の壁面緑化装置。
【考案の詳細な説明】
【技術分野】
【０００１】
この考案は、廃ガラス瓶、廃ガラス板、廃ガラス容器などにより得た廃ガラス材を主材として、連続気泡の多孔質ブロックを成形し、これを加工して建造物への固定を容易にすると共に、植物を栽培することにより、建造物の壁面の緑化を目的とした建造物の壁面緑化装置に関する。
【背景技術】
【０００２】
従来板状の多孔質セラミックス体を用いて、屋上などの緑化領域に敷き詰め埴栽ヘッドとする建築物の緑化方法に関する提案がある。
【０００３】
また建物などの傾斜又は垂直面の緑化に関しては、独立気泡の発泡アルミ板と、台板との間に植栽媒体をサンドウィッチ状に挟着して、発泡アルミ板の面に複数の貫通孔を設けた植栽用アルミ複合パネルの提案がある。
【０００４】
更に発泡盤の表面に薄型植生マット体を合わせ、裏面に硬質樹脂系の格子状盤を合わせて両面を縫製し、縁に給排水マットを装着し、全体をポリエチレンの格子状ネットシートで包み込むようにして発泡盤を縫製した植生基盤体の提案がある。
【先行技術文献】
【特許文献】
【０００５】
【特許文献１】特開２００３−１５８９１６号公報
【特許文献２】特開２００２−３０５９６１号公報
【特許文献３】実用新案登録第１２６７３８号公報
【考案の概要】
【考案が解決しようとする課題】
【０００６】
従来知られている植物担体は、多孔質セラミックス体（引用文献１）であり、アルミ複合パネル（引用文献２）であり、植生マットと格子状盤と、格子状ネットシートとよりなる壁面緑化装置（引用文献３）である。前記のように、それぞれの基本材はほぼ軽量で、それぞれの特徴を備えており、実用化されている。
【０００７】
然しながら低廉化、軽量化、成形の容易性、建物への取り付けの容易性などにおいて難易があり、それぞれ同一又は異なる問題点があったが、この考案は次のようにして前記問題点を悉く解決したものである。
【課題を解決するための手段】
【０００８】
この考案の材料は、廃ガラス材であって、材料費は著しく低廉である。例えば廃ガラス瓶などの処理費を運搬費に宛てることができるので、材料費を出費しないようにできる（又は極めて低廉にできる）。
【０００９】
次に製品は軽量にできる（例えば嵩比重０．４〜０．９である）。また材料がガラスであるから耐久性がある。
【００１０】
更に発泡ガラスブロックであるから、通常の外力（例えば植生時又は取扱い時に掛かる外力）では破壊するおそれがない。但し建物への取り付けには、例えばステンレス製の箱に入れるとか、前記ガラスブロックの外壁にセラミックス層又は合成樹脂層を設けて、保水兼用保持装置とする。前記嵩比重は、発泡率によって異なるので、製造時に嵩比重を決めて、これに見合う量の発泡剤を混合することにより目的とする嵩比重の製品を製造することができる。
【００１１】
また植物の本根付近には腐植土又は水ゴケなどの植生材を充填するが、継続的栄養分は、撒水時に液肥を混入し、自動施肥とする。
【００１２】
この考案の多孔質ブロックは、表層の気泡は微細（例えば１００〜１００００μｍｍ）であるが、内部は、前記１００〜１００００μｍｍと、１〜５ｍｍの大気泡とが混在し、各大小の気泡はほぼ連通（連続気泡）している。そこで大気泡内には、植物の細毛根が侵入することが考えられる。そこで植物の種類によって植生間隔を定め、液肥量を定める。撒水については、センサーにより自動給水すれば、管理が容易となる。
【００１３】
この考案の連続気泡の多孔質ブロックを製造するには、廃ガラス瓶又は廃ガラス板などを粉砕し（例えば１ｍｍ〜５ｍｍ）、これに発泡剤を加え（例えば１％〜６％）、この混合物を７００℃〜９００℃に加熱発泡させ、容器に入れて成形固化する。
【００１４】
この発明は、廃ガラス材（廃ガラス瓶、廃ガラス板、廃ガラス容器など）を１ｍｍ〜５ｍｍ程度に粉砕し、これに発泡剤（例えばアルミナ粉）を１〜６％（重量）混合し、この混合物を溶融炉に入れて７００℃〜９００℃に加熱発泡させ、これを型に収容し、冷却して発泡ガラスブロックを得る。この発泡ガラスブロックをステンレス容器に入れると共に、適度の大きさの植生孔を数個設け、この植生孔に腐植土又は水ゴケなどの培養物を入れると共に、苗を移植する。前記ステンレス容器は、建物の壁面への固定具であり、保水容器でもある。そこで、植物が根付くまでは特に給水に留意し、根付いてからは水分の状態を見て水を補給する。一般の園芸用植物と同様に、根付くまでは植物の性質に合った管理をし、一旦根付いた後は、水分の状態を調査しながら撒水又は施肥するが、施肥は水肥料を給水時に水と共に供給することが好ましい。またセンサーを利用してバルブをＯＮ、ＯＦＦすれば全自動施肥又は給水をすることができる。
【００１５】
この考案の多孔質ブロックは軽量かつ耐久性が大きいので、建物壁へ一旦固定すれば、少なくとも数年間は保守を要しない利点がある。また植物も多年草（つる草など）を使用すれば、一旦根付けば毎年繁茂するので、中間管理は、撒水と施肥に限られる。そこで撒水と施肥をコンピュータ管理すれば、人の管理は皆無になる利点がある。
【考案の効果】
【００１６】
この考案の壁面緑化装置は、極めて軽量、強靱で耐候性があり、かつ壁面への固定が容易であって、一旦固定すれば、少なくとも１年〜数年同一状態で保持することができる効果がある。
【００１７】
また材料として廃ガラス材を使用するので、材料費がきわめて低廉であり、加工も容易であるから、主体成型後の取扱い費及び人件費も少なくすむ効果がある。この考案の装置を採用の際に、工事請負業者が容易に固定することができる効果がある。
【図面の簡単な説明】
【００１８】
【図１】（ａ）この考案の実施の一部を省略した縦断面斜視図、（ｂ）同じく取り付け状態を示す一部を省略した断面図。
【図２】（ａ）同じく他の実施例の一部を省略した縦断斜視図、（ｂ）同じく取り付け状態を示す一部を省略した断面図。
【考案を実施するための形態】
【００１９】
この考案は、廃ガラス材を粉砕し、この粉末に発泡剤を添加して混合し、７００℃〜９００℃に加熱溶融させてから型に入れて成形して多孔質のガラスブロックとした後、型から取り出して、予め用意した支持容器に収容すると共に、植物の植生孔を設けてこれに腐植土、水ゴケなどの植生材を入れたものである。
【００２０】
前記支持容器は、前記ガラスブロック保持器と、保水器を兼用すると共に、壁面に固定してガラスブロックを支持しなければならないので、耐久性と一定の強度などを具備したガラスブロックを建物の壁面へ固定しなければならない。従って金属製であって、防銹を有する物（例えばステンレススチール容器）が好ましい。
【００２１】
前記ガラスブロックは、連続気泡であるから、植物の毛根が行き亘ると共に、保水に富み、かつ容器に一定の水位を保つようにすれば、自動的に給水できるので、水位センサーを付属させれば自動給水が容易にできる。
【００２２】
この考案に使用できる植物は、比較的丈の低いつる植物又は芝生などであるが、従来建造物の外壁に採用されている植物は何れも採用することができる。
【００２３】
この発明のガラスブロックは軽量が好ましいが、発泡剤の使用量により求める嵩比重のガラスブロックを製造することができ、発泡剤の使用量に対する嵩比重との関係は表１のようになる。
【表１】
0003160304.tif 000003
【００２４】
前記のように、嵩比重は０．８３〜０．４２の間で任意に選定できるが、嵩比重が小さいと強度が小さくなりがちであるから、容器の形状及び強度を勘案して嵩比重を定める必要があるが、一般的には嵩比重０．７５〜０．５０のものを適宜採用する。
【実施例１】
【００２５】
この考案の実施例を図１に基づいて説明する。
【００２６】
廃ガラス材の粉砕物（例えば大きさ１ｍｍ〜３ｍｍ）に、その３％の発泡剤（例えばアルミナ粉）を入れて均一に混合し、この混合物を加熱炉に入れて８００℃で２０分間加熱すれば、発泡溶融物となるので、これをステンレス製の容器１に注入した後、冷却固化すれば容器入り発泡ブロック２ができる。ついで前記発泡ブロック２に所定間隔で植物の植生用孔３を設ける。図中１７は気泡、１９は連通孔である。
【００２７】
前記においては、容器１を型代わりに使用したが、同一形状の発泡ブロック２を別に製造し、使用時に適宜容器と組み合わせることもできる。要は多孔質ブロックが植生用であり、容器はその支持具である。
【００２８】
前記ブロック２を建造物に設定するには、前記容器１の取付け孔４を利用し、ボルト５を壁面６にねじ込み固着する。通常は壁面６の適所へ穴７を設け、穴７へねじ管８を挿入固定し、前記ねじ管８へボルト５を螺合して前記容器１を固定する。前記の他に、壁面へ木片を埋設し、この木片へねじをねじ込んで容器１を固定することもできる。従って、壁面へ容器１を固定すれば、前記発泡ブロック２も保持できるので、前記の他従来使用されていた固定技術を用いることもできる。
【００２９】
前記において、容器１の側壁へ水位センサー９を取り付けておき、このセンサー９によって給水パイプ（図示していない）のバルブを開、閉すれば全自動で給水することができる。また、容器１の一部へ透視窓１８を設け、透視窓１８から透視位置（光線の届く位置）に酸化チタンを収容すれば、酸素を発生して植物を活性化させることができる。
【実施例２】
【００３０】
この考案の他の実施例を図２に基づいて説明する。
【００３１】
廃ガラス材の粉砕物（例えば大きさ１ｍｍ〜５ｍｍ）にその４％の発泡剤（例えばアルミナ粉）を入れて均一に混合した後、これを炉に入れて８００℃で２０分間加熱した後、型に入れて冷却固化し、発泡ブロック２ａを得る。この発泡ブロック２ａを耐候性合成樹脂容器１１（例えば塩化ビニール樹脂製）に入れてこの考案の植生ブロック１０とする。
【００３２】
前記発泡ブロック２ａには、植生用孔３を設け、内部へ腐植土１２を充填する。前記腐植土１２へ播種することにより、所定の植物を育成させることができる。前記のように播種することなく苗を移植する場合には、前記腐植土１２を前もって入れることなく苗の移植時に適宜の土と肥料、又は腐植土を収容する。
【００３３】
前記植生ブロック１０を壁面１５の適所へ穴７を設け、穴７へねじ管８を挿入固定し、前記ねじ管８へ前記植生ブロック１０の支持具１６の取付け板１６ａを貫通したボルト５を螺合して支持具１６を固定する。前記支持具１６を一定間隔（例えば３０ｃｍ〜５０ｃｍ）で固定し、これにより植生ブロック１０を支持固定する。
【００３４】
前記実施例においても給水は必要であるから、水位センサー（図示していない）により給水の要否を検知し、前記水位センサーの出力によって給水パイプのバルブを開閉するなどの手段により、自動給水することが好ましい。通常建造物の壁面では作業性が悪いので、給水の自動化が管理上好ましく、給水不良による事故を未然に防止し得ると共に、給水を利用して施肥すれば、施肥の自動化も同時に実施することができる。図中１７は気泡、１９は連通孔である。
【符号の説明】
【００３５】
１  容器
２  発泡ブロック
３  植生用孔
４  取付け孔
５  ボルト
６  壁面
７  穴
８  ねじ管
９  水位センサー
１０  植生ブロック
１１  合成樹脂容器
１２  腐植土
１３  植物
１５  壁面
１６  支持具
１７  気泡
１８  透視窓
１９  連通孔
【図１】
0003160304.tif 000004
【図２】
0003160304.tif 000005
【手続補正書】
【提出日】平成22年1月27日(2010.1.27)
【手続補正１】
【補正対象書類名】実用新案登録請求の範囲
【補正対象項目名】全文
【補正方法】変更
【補正の内容】
【実用新案登録請求の範囲】
【請求項１】
廃ガラス材よりなる連続気泡の多孔質ガラスブロックに、植生孔を設け、前記多孔質ガラスブロックを容器に収容して植生用ブロックとしたことを特徴とする建造物の壁面緑化装置。
【請求項２】
廃ガラス材よりなる連続気泡の多孔質ガラスブロックに、植生孔を設け、前記多孔質ガラスブロックの外側壁及び底壁に防水層を設けて植生用ブロックとしたことを特徴とする建造物の壁面緑化装置。
【請求項３】
請求項１又は２記載の植生用ブロックと、該植生用ブロックを建造物の壁面へ固定するためのボルト又はボルト及び支持具とを組み合わせたことを特徴とする建造物の壁面緑化装置。
【請求項４】
廃ガラス材の粉砕物と、該粉砕物の１％〜６％（重量）の発泡剤との混合物を、７００℃〜９００℃に加熱溶融後成形固化して連続気泡の多孔質ガラスブロックとし、該多孔質ガラスブロックに、植生孔を設け、前記多孔質ガラスブロックの側壁及び底壁に防水層を設け、又は前記多孔質ガラスブロックを容器に収容して植生用ブロックとしたことを特徴とする建造物の壁面緑化装置。
【請求項５】
請求項４記載の植生用ブロックと、該植生用ブロックを建造物の壁面へ固定するためのボルト又はボルト及び支持具とを組み合わせたことを特徴とする建造物の壁面緑化装置。
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
廃ガラス材よりなる連続気泡の多孔質ガラスブロックに、植生孔を設け、前記多孔質ガラスブロックを容器に収容して植生用ブロックを構成し、該植生用ブロックを建造物の壁面に固定したことを特徴とする建造物の壁面緑化装置。
【請求項２】
廃ガラス材よりなる連続気泡の多孔質ガラスブロックに、植生孔を設け、前記多孔質ガラスブロックの外側壁及び底壁に防水層を設けて植生用ブロックを構成し、該植生用ブロックを建造物の壁面に固定したことを特徴とする建造物の壁面緑化装置。
【請求項３】
廃ガラス材の粉砕物と、該粉砕物の１％〜６％（重量）の発泡剤との混合物を、７００℃〜９００℃に加熱溶融後成形固化して連続気泡の多孔質ガラスブロックとし、該多孔質ガラスブロックに、植生孔を設け、前記多孔質ガラスブロックの側壁及び底壁に防水層を設け、又は前記多孔質ガラスブロックを容器に収容して植生用ブロックを構成し、該植生用ブロックを建造物の壁面に固定したことを特徴とする建造物の壁面緑化装置。
【請求項４】
植生用ブロックの壁面への固定は、ボルト又はボルト及びブロック支持具を用いたことを特徴とする請求項１、２又は３記載の建造物の壁面緑化装置。